(57)【要約】  ホスト装置に接続される送信部、及びディスプレイ装置に接続される受信部を含んだデジタル映像伝送装置に係り、該送信部は、デジタル映像伝送のための付加通信を制御するホスト側付加通信制御部を含む。該ホスト側付加通信制御部は、外部装置と通信を行うことにより、送信部の動作状態を診断して診断結果を外部装置に伝送し、送信部の動作を制御する。
2016521502.tif 000002
【特許請求の範囲】
【請求項１】
ホスト装置に接続される送信部、及びディスプレイ装置に接続される受信部を含んだデジタル映像伝送装置において、
前記送信部は、
デジタル映像伝送のための付加通信を制御するホスト側付加通信制御部を含み、
前記ホスト側付加通信制御部は、
外部装置と通信を行うことにより、前記送信部の動作状態を診断して診断結果を外部装置に伝送し、前記送信部の動作を制御するデジタル映像伝送装置。
【請求項２】
前記受信部は、
前記デジタル映像伝送のための付加通信を制御するディスプレイ側付加通信制御部を含み、
前記ディスプレイ側付加通信制御部は、
外部装置と通信を行うことにより、前記受信部の動作状態を診断して診断結果を外部装置に伝送し、前記受信部の動作を制御することを特徴とする請求項１に記載のデジタル映像伝送装置。
【請求項３】
光ケーブルが、前記送信部と前記受信部との間に連結されたことを特徴とする請求項２に記載のデジタル映像伝送装置。
【請求項４】
前記ホスト側付加通信制御部は、
前記光ケーブルを介して、前記ディスプレイ側付加通信制御部と相互通信を行いながら、前記受信部の診断結果を提供され、前記受信部の動作を制御する請求項３に記載のデジタル映像伝送装置。
【請求項５】
前記ディスプレイ側付加通信制御部は、
前記光ケーブルを介して、前記ホスト側付加通信制御部と相互通信を行いながら、前記送信部の診断結果を提供され、前記送信部の動作を制御することを特徴とする請求項３に記載のデジタル映像伝送装置。
【請求項６】
前記送信部は、
前記ホスト側付加通信制御部の制御によって動作しながら、デジタル映像データに相応する発光駆動信号を発する発光駆動部と、
前記ホスト側付加通信制御部の制御によって動作しながら、前記発光駆動部及び前記ホスト側付加通信制御部からの送信信号によって光送信信号を発し、発せられた光送信信号を、前記光ケーブルを介して、前記受信部に伝送する一方、前記受信部からの光受信信号を電気信号に変換し、前記ホスト側付加通信制御部に入力するホスト側光送受信部と、をさらに含んだことを特徴とする請求項３に記載のデジタル映像伝送装置。
【請求項７】
前記受信部は、
前記ディスプレイ側付加通信制御部の制御によって動作しながら、前記ディスプレイ側付加通信制御部からの送信信号によって光送信信号を発し、発せられた光送信信号を、前記光ケーブルを介して、前記送信部に伝送する一方、前記ホスト側光送受信部からの光受信信号を電気信号に変換して出力するディスプレイ側光送受信部と、
前記ディスプレイ側付加通信制御部の制御によって動作しながら、前記ディスプレイ側光送受信部からの光受信信号のうち映像信号を増幅してデジタル映像データに復元し、前記デジタル映像データを前記ディスプレイ装置に入力する受光増幅部と、をさらに含んだことを特徴とする請求項６に記載のデジタル映像伝送装置。
【請求項８】
前記ホスト側付加通信制御部からの付加信号は、前記ホスト側光送受信部、前記光ケーブル及び前記ディスプレイ側光送受信部を介して、前記ディスプレイ側付加通信制御部に入力されることを特徴とする請求項７に記載のデジタル映像伝送装置。
【請求項９】
前記ホスト側付加通信制御部は、
ホスト側マイクロコンピュータ、ＨＤＭＩ（high definition multimedia interface）付加信号処理部、ＤＶＩ（digital visual interface）付加信号処理部、ＤＰ（display port）付加信号処理部、付加信号選択部、マルチプレクサ／デマルチプレクサ、並列−直列変換部及び直列−並列変換部を含み、
前記ホスト側マイクロコンピュータは、
少なくとも第１直列通信インターフェース及び第２直列通信インターフェースを具備し、前記第１直列通信インターフェースを介して、外部装置と通信を行うことにより、前記送信部の動作状態を診断して診断結果を外部装置に伝送し、前記送信部の動作を制御し、
前記ＨＤＭＩ付加信号処理部は、
前記ホスト装置からＨＤＭＩ送受信用ラインを介して入力されるＨＤＭＩ形式の付加信号を、送信用ラインを介して、前記付加信号選択部に入力し、前記付加信号選択部から受信用ラインを介して入力されるＨＤＭＩ形式の付加信号を、前記ＨＤＭＩ送受信用ラインを介して、前記ホスト装置に入力し、
前記ＤＶＩ付加信号処理部は、
前記ホスト装置からＤＶＩ送受信用ラインを介して入力されるＤＶＩ形式の付加信号を、送信用ラインを介して、前記付加信号選択部に入力し、前記付加信号選択部から受信用ラインを介して入力されるＤＶＩ形式の付加信号を、前記ＤＶＩ送受信用ラインを介して、前記ホスト装置に入力し、
前記ＤＰ付加信号処理部は、
前記ホスト装置からＤＰ送受信用ラインを介して入力されるＤＰ形式の付加信号を、送信用ラインを介して、前記付加信号選択部に入力し、前記付加信号選択部から受信用ラインを介して入力されるＤＰ形式の付加信号を、前記ＤＰ送受信用ラインを介して、前記ホスト装置に入力し、
前記付加信号選択部は、
前記ホスト側マイクロコンピュータからの選択命令信号によって、前記ＨＤＭＩ付加信号処理部、ＤＶＩ付加信号処理部及びＤＰ付加信号処理部のうち選択されたいずれか１つの付加信号処理部からの付加信号を、前記マルチプレクサ／デマルチプレクサに入力する一方、前記マルチプレクサ／デマルチプレクサからの付加信号を、前記選択されたいずれか１つの付加信号処理部に入力し、
前記マルチプレクサ／デマルチプレクサは、
前記付加信号選択部からの付加信号、及び前記ホスト側マイクロコンピュータからの外部通信用送信信号に対してマルチプレキシングを行って混合送信信号を発し、発せられた前記混合送信信号を、前記並列−直列変換部に入力する一方、
前記直列−並列変換部からの混合受信信号から、付加信号及び外部通信用受信信号を抽出し、抽出された付加信号を、前記付加信号選択部に入力し、抽出された外部通信用受信信号を、前記ホスト側マイクロコンピュータに入力し、
前記並列−直列変換部は、
前記マルチプレクサ／デマルチプレクサからの前記混合送信信号を直列信号に変換し、前記受信部に伝送し、
前記直列−並列変換部は、
前記受信部からの混合受信信号を並列信号に変換し、前記マルチプレクサ／デマルチプレクサに入力することを特徴とする請求項１に記載のデジタル映像伝送装置。
【請求項１０】
前記ディスプレイ側付加通信制御部は、
ディスプレイ側マイクロコンピュータ、直列−並列変換部、並列−直列変換部デマルチプレクサ／マルチプレクサ、付加信号選択部、ＨＤＭＩ（high definition multimedia interface）付加信号処理部、ＤＶＩ（digital visual interface）付加信号処理部及びＤＰ（display port）付加信号処理部を含み、
前記ディスプレイ側マイクロコンピュータは、
少なくとも第１直列通信インターフェース及び第２直列通信インターフェースを具備し、前記第１直列通信インターフェースを介して、外部装置と通信を行うことにより、前記受信部の動作状態を診断して診断結果を外部装置に伝送し、前記受信部の動作を制御し、
前記直列−並列変換部は、
前記ホスト側付加通信制御部からの混合受信信号を並列信号に変換し、前記デマルチプレクサ／マルチプレクサに入力し、
前記並列−直列変換部は、
前記デマルチプレクサ／マルチプレクサからの混合送信信号を直列信号に変換し、前記ホスト側付加通信制御部に伝送し、
前記デマルチプレクサ／マルチプレクサは、
前記直列−並列変換部からの混合受信信号から、付加信号及び外部通信用受信信号を抽出し、抽出された付加信号を、前記付加信号選択部に入力し、抽出された外部通信用受信信号を前記ディスプレイ側マイクロコンピュータに入力する一方、
前記付加信号選択部からの付加信号、及び前記ディスプレイ側マイクロコンピュータからの外部通信用送信信号に対してマルチプレキシングを行って混合送信信号を発し、発せられた前記混合送信信号を、前記並列−直列変換部に入力し、
前記付加信号選択部は、
前記ディスプレイ側マイクロコンピュータからの選択命令信号によって、前記ＨＤＭＩ付加信号処理部、ＤＶＩ付加信号処理部及びＤＰ付加信号処理部のうち選択されたいずれか１つの付加信号処理部からの付加信号を、前記デマルチプレクサ／マルチプレクサに入力する一方、前記デマルチプレクサ／マルチプレクサからの付加信号を、前記選択されたいずれか１つの付加信号処理部に入力し、
前記ＨＤＭＩ付加信号処理部は、
前記付加信号選択部から受信用ラインを介して入力されるＨＤＭＩ形式の付加信号を、ＨＤＭＩ送受信用ラインを介して、前記ディスプレイ装置に入力し、前記ディスプレイ装置から前記ＨＤＭＩ送受信用ラインを介して入力されるＨＤＭＩ形式の付加信号を、送信用ラインを介して、前記付加信号選択部に入力し、
前記ＤＶＩ付加信号処理部は、
前記付加信号選択部から受信用ラインを介して入力されるＤＶＩ形式の付加信号を、前記ＤＶＩ送受信用ラインを介して、前記ディスプレイ装置に入力し、前記ディスプレイ装置から前記ＤＶＩ送受信用ラインを介して入力されるＤＶＩ形式の付加信号を、送信用ラインを介して、前記付加信号選択部に入力し、
前記ＤＰ付加信号処理部は、
前記付加信号選択部から受信用ラインを介して入力されるＤＰ形式の付加信号を、ＤＰ送受信用ラインを介して、前記ディスプレイ装置に入力し、前記ディスプレイ装置から前記ＤＰ送受信用ラインを介して入力されるＤＰ形式の付加信号を、送信用ラインを介して、前記付加信号選択部に入力することを特徴とする請求項２に記載のデジタル映像伝送装置。
【発明の詳細な説明】
【技術分野】
【０００１】
本発明は、デジタル映像データを伝送するデジタル映像伝送装置に係り、さらに詳細には、ホスト装置に接続される送信部、及びディスプレイ装置に接続される受信部を含んだデジタル映像伝送装置に関する。
【背景技術】
【０００２】
図１は、基本的なＨＤＭＩ（high definition multimedia interface）形式のデジタル映像システムを示している。
【０００３】
図１を参照すれば、基本的なＨＤＭＩ形式のデジタル映像システムは、ホスト装置１１、ディスプレイ装置１２及び電気ケーブルを含む。ここで、電気ケーブルは、ホスト装置１１の入出力端子ＴＨ１ないしＴＨ１３と、ディスプレイ装置１２の入出力端子ＴＤ１ないしＴＤ１３との間に連結される。
【０００４】
ホスト装置１１は、ＨＤＭＩ送信部１１１及びグラフィック制御部１１２を含む。ディスプレイ装置１２は、直列ＥＥＰＲＯＭ（electrically erasable and programmable read only memory）１２２及びＨＤＭＩ受信部１２１を含む。
【０００５】
ホスト装置１１内のＨＤＭＩ送信部１１１は、オーディオデータＳＡＵＤ、クロック信号ＳＣＳ及びデジタル映像データＳＶＩＤを、ＨＤＭＩ形式によって、ＴＭＤＳ（transition minimized differential signaling）信号に変換し、ディスプレイ装置１２に出力する。
【０００６】
さらに詳細には、オーディオデータＳＡＵＤとデジタル映像データＳＶＩＤは、ＨＤＭＩ送信部１１１で処理され、２チャネルの赤色信号ＳＲ＋，ＳＲ−、２チャネルの緑色信号ＳＧ＋，ＳＧ−、そして２チャネルの青色信号ＳＢ＋，ＳＢ−として出力される。クロック信号ＳＣＳは、ＨＤＭＩ送信部１１１で処理され、２チャネルのクロック信号ＣＬＫ＋，ＣＬＫ−として出力される。
【０００７】
デジタル映像送信のための付加（additional）通信としてのディスプレイデータチャネル（ＤＤＣ：display data channel）の通信において、ホスト装置１１内のグラフィック制御部１１２は、Ｉ２Ｃ（inter-integrated circuit）通信プロトコルによって、ディスプレイ装置１２内のＨＤＭＩ受信部１２１と通信する。すなわち、グラフィック制御部１１２は、クロック信号ＳＣＳをＨＤＭＩ受信部１２１に伝送しながら、ＨＤＭＩ受信部１２１と共にデータ信号ＳＤＡをやりとりする。
【０００８】
ディスプレイ装置１２内のＨＤＭＩ受信部１２１は、ディスプレイ装置１２のＥＤＩＤ（extended display identification data）を直列ＥＥＰＲＯＭ １２２に保存し、ホスト装置１１内のグラフィック制御部１１２にＥＤＩＤを提供する。その後、グラフィック制御部１１２と高域デジタルコンテンツ保護（ＨＤＣＰ：high-bandwidth digital content protection）の通信を行いながら、ＨＤＭＩ送信部１１１からの映像データを受信する。
【０００９】
最初に、グラフィック制御部１１２は、ＨＤＭＩ受信部１２１の動作のために、直列ＥＥＰＲＯＭ １２２に、＋５Ｖ信号Ｓ＋５を伝送する。ＨＤＭＩ受信部１２１は、ＨＰＤ（hot plug detect）信号用電圧ＨＰＤをグラフィック制御部１１２に伝送し、それによって、グラフィック制御部１１２は、ディスプレイ装置１２と連結されたということを感知する。
【００１０】
ホスト装置１１内のグラフィック制御部１１２は、ＥＤＩＤによって、ＨＤＭＩ送信部１１１の動作を制御する一方、ＨＤＭＩ受信部１２１とＨＤＣＰ通信を行う。
【００１１】
ディスプレイ装置１２内のＨＤＭＩ受信部１２１は、ホスト装置１１からのＨＤＭＩ形式のＴＭＤＳ信号を、オーディオデータＳＡＵＤ、クロック信号ＳＣＳ及びデジタル映像データＳＶＩＤに復元する。
【００１２】
参考までに、図１の参照符号ＣＥＣ（consumer electronics control）と係わって、ユーザは、ホスト装置１１から、ＣＥＣチャネルを利用して、ディスプレイ装置１２の動作を遠隔で制御することができる。例えば、ホスト装置１１は、ディスプレイ装置１２の電源供給を制御することができる。
【００１３】
図２は、一般的なＤＶＩ（digital visual interface）形式のデジタル映像システムを示している。図２において、図１と同一の参照符号は、同一機能の対象を示す。図１のシステムに対する図２のシステムの差異のみを説明すれば、次の通りである。
【００１４】
図２を参照すれば、基本的なＤＶＩ（digital visual interface）形式のデジタル映像システムは、ホスト装置２１、ディスプレイ装置２２及び電気ケーブルを含む。ここで、電気ケーブルは、ホスト装置２１の入出力端子ＴＨ１ないしＴＨ１４と、ディスプレイ装置２２の入出力端子ＴＤ１ないしＴＤ１４との間に連結される。
【００１５】
ホスト装置２１は、ＴＭＤＳ送信部２１１及びグラフィック制御部２１２を含む。ディスプレイ装置２２は、直列ＥＥＰＲＯＭ ２２２及びＴＭＤＳ受信部２２１を含む。
【００１６】
ホスト装置１１内のＴＭＤＳ送信部２１１は、クロック信号ＳＣＳ及びデジタル映像データＳＶＩＤを、ＤＶＩ形式によってＴＭＤＳ信号に変換してディスプレイ装置２２に出力する。
【００１７】
デジタル映像送信のための付加通信としてのディスプレイデータチャネル（ＤＤＣ：display data channel）の通信において、ディスプレイ装置２２内の直列ＥＥＰＲＯＭ ２２２は、ディスプレイ装置２２のＥＤＩＤ（extended display identification data）を保存し、Ｉ２Ｃ（inter-integrated circuit）通信プロトコルによって、ホスト装置２１内のグラフィック制御部２１２にＥＤＩＤを提供する。
【００１８】
ホスト装置２１内のグラフィック制御部２１２は、ＥＤＩＤによって、ＴＭＤＳ送信部２１１の動作を制御する。
【００１９】
ディスプレイ装置２２内のＴＭＤＳ受信部２２１は、ホスト装置２１からのＤＶＩ形式のＴＭＤＳ信号を、クロック信号ＳＣＳ及びデジタル映像データＳＶＩＤに復元する。
【００２０】
図３は、ＶＥＳＡ（Video Electronics Standards Association）のディスプレイポート（display-port）通信規定による通常的なディスプレイポート・システムを示している。図３を参照すれば、一般的なディスプレイポート・システムについて説明すれば、次の通りである。
【００２１】
ディスプレイ装置３２内の制御部３２１には、ディスプレイ装置３２の構成情報及び制御情報であるＥＤＩＤ（extended display identification data）、及びディスプレイ装置３２の受信条件情報であるＤＰＣＤ（display-port configuration data）が記録されている。
【００２２】
ホスト装置３１内の制御部３１１は、ディスプレイポート通信規定によって、ディスプレイ装置３２内の直列ＥＥＰＲＯＭに保存されているＥＤＩＤ及びＤＰＣＤを受信した後、すなわち、デジタル映像伝送のための付加チャネルとしての補助（auxiliary）チャネルの初期通信を行った後、受信されたＥＤＩＤ及びＤＰＣＤによって、主データをディスプレイ装置３２内の制御部３２１に伝送する。ここで、主データとは、クロック信号が内蔵された映像信号を意味する。
【００２３】
かような送信過程において、ホスト装置３１内の制御部３１１は、ＶＥＳＡのディスプレイポート通信規定によって、ディスプレイ装置３２内の制御部３２１とＤＰＣＤの通信、すなわち、付加チャネルとしての補助チャネルの主通信を行う。該ＤＰＣＤの通信（「リンクトレーニング（link training）」のための通信ともいう）を要約すれば、次の通りである。
【００２４】
第一に、ホスト装置３１内の制御部３１１は、受信されたＤＰＣＤによって、ホスト装置３１の予定された伝送条件情報を、ディスプレイ装置３２内の制御部３２１に伝送する。
【００２５】
第二に、ディスプレイ装置３２内の制御部３２１は、受信された伝送条件情報によって、主データを受信する。
【００２６】
第三に、ディスプレイ装置３２内の制御部３２１は、主データを受信する過程でエラーが発生すれば、伝送条件が自体に適さないという信号を、接続信号ＨＰＤを介して、ホスト装置３１内の制御部３１１に伝送する。例えば、ディスプレイ装置３２内の制御部３２１は、論理１と論理０とを反復するパルス列の接続信号ＨＰＤを、ホスト装置３１内の制御部３１１に伝送する。参考までに、ディスプレイ装置３２が正常に動作する間、ディスプレイ装置３２内の制御部３２１は、論理１の接続信号ＨＰＤを、ホスト装置３１内の制御部３１１に伝送する。
【００２７】
第四に、伝送条件が自体に適さないという信号を、接続信号ＨＰＤを介して発生すれば、ホスト装置３１内の制御部３１１は、ホスト装置３１の予定された伝送条件情報を変更し、変更された伝送条件情報をディスプレイ装置３２内の制御部３２１に伝送する。
【００２８】
第五に、前述の第２段階ないし第４段階が反復して遂行される。
【００２９】
一方、ホスト装置３１内のディスプレイポート・インターフェース３１２は、主データ送信部３１２ｍ及び補助データ送受信部３１２ｓを含む。
【００３０】
主データ送信部３１２ｍは、制御部３１１からの並列主データを差動補助信号に変換し、８ラインからなる４対の差動補助信号Ｌ１＋，Ｌ１−；Ｌ２＋，Ｌ２−；Ｌ３＋，Ｌ３−；Ｌ４＋，Ｌ４−として伝送する。
【００３１】
補助データ送受信部３１２ｓは、２ラインからなる１対の差動補助信号ＡＵＸ＋，ＡＵＸ−をディスプレイ装置３２から受信し、それをディスプレイポート通信規定によって、並列入力信号に変換し、制御部３１１に入力する。該通信のために、補助データ送受信部３１２ｓは、制御部３１１からの並列出力信号をディスプレイポート通信規定によって、差動補助信号に変換し、２ラインからなる１対の差動補助信号ＡＵＸ＋，ＡＵＸ−をディスプレイ装置３２に伝送する。
【００３２】
ディスプレイ装置３２内の制御部３２１は、ディスプレイポート通信規定によって記録されているＥＤＩＤ及びＤＰＣＤを、ホスト装置３１内の制御部３１１に伝送し、ホスト装置３１内の制御部３１１からの主データを受信する。
【００３３】
ディスプレイ装置３２内のディスプレイポート・インターフェース３２２は、主データ受信部３２２ｍ及び補助データ送受信部３２２ｓを含む。
【００３４】
主データ受信部３２２ｍは、８ラインからなる４対の差動補助信号Ｌ１＋，Ｌ１−；Ｌ２＋，Ｌ２−；Ｌ３＋，Ｌ３−；Ｌ４＋，Ｌ４−を、ディスプレイポート通信規定によって、並列入力信号に変換し、制御部３２１に入力する。
【００３５】
補助データ送受信部３２２ｓは、制御部３２１からの並列出力信号を、ディスプレイポート通信規定によって差動補助信号に変換し、２ラインからなる１対の差動補助信号ＡＵＸ＋，ＡＵＸ−を、ホスト装置３１に伝送する。該通信のために、補助データ送受信部３２２ｓは、２ラインからなる１対の差動補助信号ＡＵＸ＋，ＡＵＸ−を、ホスト装置３１から受信し、それをディスプレイポート通信規定によって並列入力信号に変換し、制御部３２１に入力する。
【００３６】
図３において、参照符号ＰＷＲは、約３．３ボルト（Ｖ）の電圧であり、１．５ワット（Ｗ）以上の電力を出力する端子を示す。参照符号ＲＴＮは、ディスプレイ装置３２で使用された電流がホスト装置３１に流れる電力復帰（return power）チャネルを示す。
【００３７】
図３において、参照符号ＣＦＧ１は、補助データの通信方式を決定するチャネルを示す。ＣＦＧ１チャネルが論理「０」状態であるならば、マンチェスター（Manchester）ＩＩコーディング方式によるディスプレイポート通信方式が適用される状態である。
【００３８】
ＣＦＧ１チャネルが論理「１」状態であるならば、Ｉ２Ｃ（inter-integrated circuit）通信プロトコルによるＨＤＭＩ通信方式が適用される状態である。ここで、参照符号ＣＦＧ２は、ＨＤＭＩ通信方式が適用される場合に使用可能なＣＥＣチャネルを示す。
【００３９】
以上、図１ないし図３を参照して説明した一般的なデジタル映像システムにおいて、ホスト装置１１，２１，３１と、ディスプレイ装置１２，２２，３２とが長距離である場合、デジタル映像伝送装置が必要である。
【００４０】
すなわち、ホスト装置に接続される送信部、及びディスプレイ装置に接続される受信部を含んだデジタル映像伝送装置が必要である。ここで、送信部と受信部との間では、電気ケーブルまたは光ケーブルを介した有線通信も行われ、無線通信も行われる。
【００４１】
かようなデジタル映像伝送装置の機能において、従来には、固有の映像伝送機能があるのみ、ユーザとの交流機能が存在しない。
【発明の概要】
【発明が解決しようとする課題】
【００４２】
本発明の実施形態は、ユーザとの交流が可能なデジタル映像伝送装置を提供するものである。
【課題を解決するための手段】
【００４３】
本発明の一側面によれば、ホスト装置に接続される送信部、及びディスプレイ装置に接続される受信部を含んだデジタル映像伝送装置において、前記送信部は、デジタル映像伝送のための付加通信を制御するホスト側付加通信制御部を含む。
【００４４】
ここで、前記ホスト側付加通信制御部は、外部装置と通信を行うことにより、前記送信部の動作状態を診断して診断結果を外部装置に伝送し、前記送信部の動作を制御する。
【００４５】
望ましくは、前記受信部は、前記デジタル映像伝送のための前記付加通信を制御するディスプレイ側付加通信制御部を含む。
【００４６】
ここで、前記ディスプレイ側付加通信制御部は、外部装置と通信を行うことにより、前記受信部の動作状態を診断して診断結果を外部装置に伝送し、前記受信部の動作を制御する。
【００４７】
望ましくは、光ケーブルが、前記送信部と前記受信部との間に連結される。
【００４８】
望ましくは、前記ホスト側付加通信制御部は、前記光ケーブルを介して、前記ディスプレイ側付加通信制御部と相互通信を行いながら、前記受信部の診断結果を提供され、前記受信部の動作を制御する。
【００４９】
望ましくは、前記ディスプレイ側付加通信制御部は、前記光ケーブルを介して、前記ホスト側付加通信制御部と相互通信を行いながら、前記送信部の診断結果を提供され、前記送信部の動作を制御する。
【００５０】
望ましくは、前記送信部は、発光駆動部及びホスト側光送受信部をさらに含む。
【００５１】
前記発光駆動部は、前記ホスト側付加通信制御部の制御によって動作しながら、デジタル映像データに相応する発光駆動信号を発する。
【００５２】
前記ホスト側光送受信部は、前記ホスト側付加通信制御部の制御によって動作しながら、前記発光駆動部及び前記ホスト側付加通信制御部からの送信信号によって光送信信号を発し、発せられた光送信信号を、前記光ケーブルを介して、前記受信部に伝送する一方、前記受信部からの光受信信号を電気信号に変換し、前記ホスト側付加通信制御部に入力する。
【００５３】
望ましくは、前記受信部は、ディスプレイ側光送受信部及び受光増幅部をさらに含む。
【００５４】
前記ディスプレイ側光送受信部は、前記ディスプレイ側付加通信制御部の制御によって動作しながら、前記ディスプレイ側付加通信制御部からの送信信号によって光送信信号を発し、発せられた光送信信号を、前記光ケーブルを介して、前記送信部に伝送する一方、前記ホスト側光送受信部からの光受信信号を電気信号に変換して出力する。
【００５５】
前記受光増幅部は、前記ディスプレイ側付加通信制御部の制御によって動作しながら、前記ディスプレイ側光送受信部からの光受信信号のうち映像信号を増幅し、デジタル映像データに復元し、前記デジタル映像データを前記ディスプレイ装置に入力する。
【００５６】
望ましくは、前記ホスト側付加通信制御部からの付加信号は、前記ホスト側光送受信部、前記光ケーブル及び前記ディスプレイ側光送受信部を介して、前記ディスプレイ側付加通信制御部に入力される。
【００５７】
望ましくは、前記ホスト側付加通信制御部は、ホスト側マイクロコンピュータ、ＨＤＭＩ（high definition multimedia interface）付加信号処理部、ＤＶＩ（digital visual interface）付加信号処理部、ＤＰ（display port）付加信号処理部、付加信号選択部、マルチプレクサ／デマルチプレクサ、並列−直列変換部及び直列−並列変換部を含む。
【００５８】
前記ホスト側マイクロコンピュータは、少なくとも第１直列通信インターフェース及び第２直列通信インターフェースを具備し、前記第１直列通信インターフェースを介して外部装置と通信を行うことにより、前記送信部の動作状態を診断して診断結果を外部装置に伝送し、前記送信部の動作を制御する。
【００５９】
前記ＨＤＭＩ付加信号処理部は、前記ホスト装置からＨＤＭＩ送受信用ラインを介して入力されるＨＤＭＩ形式の付加信号を、送信用ラインを介して、前記付加信号選択部に入力し、前記付加信号選択部から受信用ラインを介して入力されるＨＤＭＩ形式の付加信号を、前記ＨＤＭＩ送受信用ラインを介して、前記ホスト装置に入力する。
【００６０】
前記ＤＶＩ付加信号処理部は、前記ホスト装置からＤＶＩ送受信用ラインを介して入力されるＤＶＩ形式の付加信号を、送信用ラインを介して、前記付加信号選択部に入力し、前記付加信号選択部から受信用ラインを介して入力されるＤＶＩ形式の付加信号を、前記ＤＶＩ送受信用ラインを介して、前記ホスト装置に入力する。
【００６１】
前記ＤＰ付加信号処理部は、前記ホスト装置からＤＰ送受信用ラインを介して入力されるＤＰ形式の付加信号を、送信用ラインを介して、前記付加信号選択部に入力し、前記付加信号選択部から受信用ラインを介して入力されるＤＰ形式の付加信号を、前記ＤＰ送受信用ラインを介して、前記ホスト装置に入力する。
【００６２】
前記付加信号選択部は、前記ホスト側マイクロコンピュータからの選択命令信号によって、前記ＨＤＭＩ付加信号処理部、ＤＶＩ付加信号処理部及びＤＰ付加信号処理部のうち選択されたいずれか１つの付加信号処理部からの付加信号を、前記マルチプレクサ／デマルチプレクサに入力する一方、前記マルチプレクサ／デマルチプレクサからの付加信号を、前記選択されたいずれか１つの付加信号処理部に入力する。
【００６３】
前記マルチプレクサ／デマルチプレクサは、前記付加信号選択部からの付加信号、及び前記ホスト側マイクロコンピュータからの外部通信用送信信号に対してマルチプレキシングを行って混合送信信号を発し、発せられた前記混合送信信号を前記並列−直列変換部に入力する一方、前記直列−並列変換部からの混合受信信号から、付加信号及び外部通信用受信信号を抽出し、抽出された付加信号を、前記付加信号選択部に入力し、抽出された外部通信用受信信号を、前記ホスト側マイクロコンピュータに入力する。
【００６４】
前記並列−直列変換部は、前記マルチプレクサ／デマルチプレクサからの前記混合送信信号を直列信号に変換し、前記受信部に伝送する。
【００６５】
前記直列−並列変換部は、前記受信部からの混合受信信号を並列信号に変換し、前記マルチプレクサ／デマルチプレクサに入力する。
【００６６】
望ましくは、前記ディスプレイ側付加通信制御部は、ディスプレイ側マイクロコンピュータ、直列−並列変換部、並列−直列変換部、デマルチプレクサ／マルチプレクサ、付加信号選択部、ＨＤＭＩ付加信号処理部、ＤＶＩ付加信号処理部及びＤＰ付加信号処理部を含む。
【００６７】
前記ディスプレイ側マイクロコンピュータは、少なくとも第１直列通信インターフェース及び第２直列通信インターフェースを具備し、前記第１直列通信インターフェースを介して、外部装置と通信を行うことにより、前記受信部の動作状態を診断して診断結果を外部装置に伝送し、前記受信部の動作を制御する。
【００６８】
前記直列−並列変換部は、前記ホスト側付加通信制御部からの混合受信信号を並列信号に変換し、前記デマルチプレクサ／マルチプレクサに入力する。
【００６９】
前記並列−直列変換部は、前記デマルチプレクサ／マルチプレクサからの混合送信信号を直列信号に変換し、前記ホスト側付加通信制御部に伝送する。
【００７０】
前記デマルチプレクサ／マルチプレクサは、前記直列−並列変換部からの混合受信信号から、付加信号及び外部通信用受信信号を抽出し、抽出された付加信号を、前記付加信号選択部に入力し、抽出された外部通信用受信信号を前記ディスプレイ側マイクロコンピュータに入力する一方、前記付加信号選択部からの付加信号、及び前記ディスプレイ側マイクロコンピュータからの外部通信用送信信号に対してマルチプレキシングを行って混合送信信号を発し、発せられた前記混合送信信号を、前記並列−直列変換部に入力する。
【００７１】
前記付加信号選択部は、前記ディスプレイ側マイクロコンピュータからの選択命令信号によって、前記ＨＤＭＩ付加信号処理部、ＤＶＩ付加信号処理部及びＤＰ付加信号処理部のうち選択されたいずれか１つの付加信号処理部からの付加信号を、前記デマルチプレクサ／マルチプレクサに入力する一方、前記デマルチプレクサ／マルチプレクサからの付加信号を、前記選択されたいずれか１つの付加信号処理部に入力する。
【００７２】
前記ＨＤＭＩ付加信号処理部は、前記付加信号選択部から受信用ラインを介して入力されるＨＤＭＩ形式の付加信号を、ＨＤＭＩ送受信用ラインを介して、前記ディスプレイ装置に入力し、前記ディスプレイ装置から前記ＨＤＭＩ送受信用ラインを介して入力されるＨＤＭＩ形式の付加信号を、送信用ラインを介して、前記付加信号選択部に入力する。
【００７３】
前記ＤＶＩ付加信号処理部は、前記付加信号選択部から受信用ラインを介して入力されるＤＶＩ形式の付加信号を、前記ＤＶＩ送受信用ラインを介して、前記ディスプレイ装置に入力し、前記ディスプレイ装置から前記ＤＶＩ送受信用ラインを介して入力されるＤＶＩ形式の付加信号を、送信用ラインを介して、前記付加信号選択部に入力する。
【００７４】
前記ＤＰ付加信号処理部は、前記付加信号選択部から受信用ラインを介して入力されるＤＰ形式の付加信号を、ＤＰ送受信用ラインを介して、前記ディスプレイ装置に入力し、前記ディスプレイ装置から前記ＤＰ送受信用ラインを介して入力されるＤＰ形式の付加信号を、送信用ラインを介して、前記付加信号選択部に入力する。
【発明の効果】
【００７５】
本発明の実施形態の前記デジタル映像伝送装置によれば、前記送信部の前記ホスト側付加通信制御部は、外部装置と通信を行うことにより、前記送信部の動作状態を診断して診断結果を外部装置に伝送し、前記送信部の動作を制御する。
【００７６】
従って、ユーザのコンピュータまたは端末機は、前記ホスト側付加通信制御部と通信することができる。それによって、ユーザは、前記送信部の動作状態を診断し、前記送信部の動作を制御することができる。前記送信部の動作を制御する単純な例として、必要によって、デジタル映像データの伝送を中断したり再び開始したりすることができる。
【００７７】
さらに、前記受信部の前記ディスプレイ側付加通信制御部は、外部装置と通信を行うことにより、前記受信部の動作状態を診断して診断結果を外部装置に伝送し、前記受信部の動作を制御する。
【００７８】
従って、ユーザのコンピュータまたは端末機は、前記ディスプレイ側付加通信制御部と通信することができる。それによって、ユーザは、前記受信部の動作状態を診断し、前記受信部の動作を制御することができる。前記受信部の動作を制御する単純な例として、必要によって、デジタル映像データの受信を中断したり再び開始したりすることができる。
【００７９】
さらに、光ケーブルが、前記送信部と前記受信部との間に連結された場合、前記ホスト側付加通信制御部は、前記光ケーブルを介して、前記ディスプレイ側付加通信制御部と相互通信を行いながら、前記受信部の診断結果を提供され、前記受信部の動作を制御する。
【００８０】
それによって、前記ホスト装置の位置にいるユーザは、前記ホスト側付加通信制御部を介して、遠隔地の前記受信部の診断結果を提供され、前記受信部の動作を制御することもできる。
【００８１】
さらに、前記ディスプレイ側付加通信制御部は、前記光ケーブルを介して、前記ホスト側付加通信制御部と相互通信を行いながら、前記送信部の診断結果を提供され、前記送信部の動作を制御する。
【００８２】
それによって、前記ディスプレイ装置の位置にいるユーザは、前記ディスプレイ側付加通信制御部を介して、遠隔地の前記送信部の診断結果を提供され、前記送信部の動作を制御することもできる。
【図面の簡単な説明】
【００８３】
【図１】基本的なＨＤＭＩ（high definition multimedia interface）形式のデジタル映像システムを示す図面である。
【図２】基本的なＤＶＩ（digital visual interface）形式のデジタル映像システムを示す図面である。
【図３】基本的なＤＰ（display port）形式のデジタル映像システムを示す図面である。
【図４】図１ないし３のデジタル映像システムに採用される本発明の一実施形態のデジタル映像伝送装置を示す図面である。
【図５】図４の送信部のホスト側付加通信制御部の内部構成を示す図面である。
【図６】図４の受信部のディスプレイ側付加通信制御部の内部構成を示す図面である。
【図７】本発明の一実施形態のデジタル映像伝送装置が応用される第１例を示す図面である。
【図８】図７のユーザコンピュータまたはユーザ通信端末機で、ＧＵＩ（graphic user interface）の画面の例を示す図面である。
【図９】本発明の一実施形態のデジタル映像伝送装置が応用される第２例を示す図面である。
【図１０】本発明の一実施形態のデジタル映像伝送装置が応用される第３例を示す図面である。
【発明を実施するための形態】
【００８４】
下記の説明、及び添付された図面は、本発明による動作を理解するためのものであり、本技術分野の当業者が容易に具現することができる部分は、省略されている。
【００８５】
また、本明細書及び図面は、本発明を制限するための目的で提供されたものではなく、本発明の範囲は、特許請求の範囲によって定められなければならない。本明細書で使用された用語は、本発明を最も適切に表現するように、本発明の技術的思想に符合する意味及び概念に解釈されなければならない。
【００８６】
以下、添付された図面を参照しながら、本発明の適切な実施形態について詳細に説明する。また、本明細書及び図面において、実質的に同一機能構成を有する構成要素については、同一符号を付与することによって、重複説明を省略する。
【００８７】
図４は、図１ないし図３のデジタル映像システムに採用される本発明の一実施形態のデジタル映像伝送装置を示している。図１ないし図４を参照し、本発明の一実施形態のデジタル映像伝送装置について説明すれば、次の通りである。
【００８８】
本発明の一実施形態のデジタル映像伝送装置は、ホスト装置１１，２１または３１に接続される送信部４１、及びディスプレイ装置１２，２２または３２に接続される受信部４２を含む。本実施形態の場合、送信部４１と受信部４２との間に光ケーブル４３が採用されるが、電気ケーブルまたは無線通信が適用されてもよい。
【００８９】
送信部４１は、デジタル映像伝送のための付加通信を制御するホスト側付加通信制御部４１２を含む。図４において参照符号Ｓｄｄｃは、ホスト装置１１，２１または３１と、ディスプレイ装置１２，２２または３２との間での双方向付加信号を示し、Ｓｄｄｒは、ホスト側付加通信制御部４１２からディスプレイ側付加通信制御部４２２に伝送される付加信号を示し、Ｓｄｄｌは、ディスプレイ側付加通信制御部４２２からホスト側付加通信制御部４１２に伝送される付加信号をそれぞれ示す。
【００９０】
ここで、ホスト側付加通信制御部４１２は、外部装置と通信を行うことにより、送信部４１の動作状態を診断して診断結果を外部装置に伝送し、送信部４１の動作を制御する。図４において参照符号Ｓｈｅｃ１は、ホスト側付加通信制御部４１２と、第１外部装置との間で送受信される直列通信信号、例えば、ＵＳＢ（universal serial bus）形式の通信信号を示す。図４において参照符号Ｓｈｅｃ２は、ホスト側付加通信制御部４１２と、第２外部装置との間で送受信される直列通信信号、例えば、Ｉ２Ｃ（inter-integrated circuit）形式の通信信号を示す。
【００９１】
従って、ユーザのコンピュータまたは端末機は、ホスト側付加通信制御部４１２と通信することができる。それによって、ユーザは、送信部４１の動作状態を診断し、送信部４１の動作を制御することができる。送信部４１の動作を制御する単純な例として、必要によって、デジタル映像データの伝送を中断したり再び開始したりすることができる。
【００９２】
一方、受信部４２は、デジタル映像伝送のための付加通信を制御するディスプレイ側付加通信制御部４２２を含む。
【００９３】
ここで、ディスプレイ側付加通信制御部４２２は、外部装置と通信を行うことにより、受信部４２の動作状態を診断して診断結果を外部装置に伝送し、受信部４２の動作を制御する。図４において参照符号Ｓｄｅｃ１は、ディスプレイ側付加通信制御部４２２と、第１外部装置との間で送受信される直列通信信号、例えば、ＵＳＢ形式の通信信号を示す。図４において参照符号Ｓｄｅｃ２は、ディスプレイ側付加通信制御部４２２と、第２外部装置との間で送受信される直列通信信号、例えば、Ｉ２Ｃ形式の通信信号を示す。
【００９４】
従って、ユーザのコンピュータまたは端末機は、ディスプレイ側付加通信制御部４２２と通信することができる。それによって、ユーザは、受信部４２の動作状態を診断し、受信部４２の動作を制御することができる。受信部４２の動作を制御する単純な例として、必要によって、デジタル映像データの受信を中断したり再び開始したりすることができる。
【００９５】
さらに、本実施形態のホスト側付加通信制御部４１２は、光ケーブル４３を介して、ディスプレイ側付加通信制御部４２２と相互通信を行いながら、受信部４２の診断結果を提供され、受信部４２の動作を制御する。
【００９６】
それによって、ホスト装置１１，２１または３１の位置にいるユーザは、ホスト側付加通信制御部４１２を介して、遠隔地の受信部４２の診断結果を提供され、受信部４２の動作を制御することもできる。
【００９７】
それと反対に、ディスプレイ側付加通信制御部４２２は、光ケーブル４３を介して、ホスト側付加通信制御部４１２と相互通信を行いながら、送信部４１の診断結果を提供され、送信部４１の動作を制御する。
【００９８】
それによって、ディスプレイ装置１２，２２または３２の位置にいるユーザは、ディスプレイ側付加通信制御部４２２を介して、遠隔地の送信部４１の診断結果を提供され、送信部４１の動作を制御することもできる。
【００９９】
本実施形態の場合、送信部４１は、発光駆動部４１１及びホスト側光送受信部４１３をさらに含む。
【０１００】
発光駆動部４１１は、ホスト側付加通信制御部４１２の制御によって動作しながら、デジタル映像データＳｄｉｍに相応する発光駆動信号を発する。
【０１０１】
ホスト側光送受信部４１は、ホスト側付加通信制御部４１２の制御によって動作しながら、発光駆動部４１１及びホスト側付加通信制御部４１２からの送信信号Ｓｄｄｒによって光送信信号を発し、発せられた光送信信号を光ケーブル４３を介して受信部４２に伝送する一方、受信部４２からの光受信信号を電気信号Ｓｄｄｌに変換し、ホスト側付加通信制御部４１２に入力する。
【０１０２】
受信部４２は、ディスプレイ側光送受信部４２３及び受光増幅部４２１をさらに含む。
【０１０３】
ディスプレイ側光送受信部４２３は、ディスプレイ側付加通信制御部４２２の制御によって動作しながら、ディスプレイ側付加通信制御部４２２からの送信信号Ｓｄｄｌによって光送信信号を発し、発せられた光送信信号を光ケーブル４３を介して送信部４１に伝送する一方、ホスト側光送受信部４１３からの光受信信号を電気信号に変換して出力する。
【０１０４】
ここで、ホスト側付加通信制御部４１２からの付加信号Ｓｄｄｒは、ホスト側光送受信部４１３、光ケーブル４３及びディスプレイ側光送受信部４２３を介して、ディスプレイ側付加通信制御部４２２に入力される。
【０１０５】
受光増幅部４２１は、ディスプレイ側付加通信制御部４２２の制御によって動作しながら、ディスプレイ側光送受信部４２３からの光受信信号のうち映像信号を増幅し、デジタル映像データＳｄｉｍに復元し、デジタル映像データＳｄｉｍをディスプレイ装置１２，２２または３２に入力する。
【０１０６】
図５は、図４の送信部４１のホスト側付加通信制御部４１２の内部構成を示している。図５において、図４と同一の参照符号は、同一機能の対象を示す。図４及び図５を参照すれば、送信部４１のホスト側付加通信制御部４１２の内部構成及び動作について説明すれば、次の通りである。
【０１０７】
送信部４１のホスト側付加通信制御部４１２は、ホスト側マイクロコンピュータ５０１、ＨＤＭＩ（high definition multimedia interface）付加信号処理部５０２、ＤＶＩ（digital visual interface）付加信号処理部５０３、ＤＰ（display port）付加信号処理部５０４、付加信号選択部５０５、マルチプレクサ（ＭＵＸ）／デマルチプレクサ（ＤＥＭＵＸ）５０６、並列−直列変換部５０７及び直列−並列変換部５０８を含む。
【０１０８】
ホスト側マイクロコンピュータ５０１は、少なくとも第１直列通信インターフェース５０１ｕ及び第２直列通信インターフェース５０１ｉを具備し、第１直列通信インターフェース５０１ｕを介して、外部装置と通信を行うことにより、送信部４１の動作状態を診断して診断結果を外部装置に伝送し、送信部４１の動作を制御する。
【０１０９】
例えば、第１直列通信インターフェース５０１ｕは、ＵＳＢ（universal serial bus）形式のインターフェースであり、第２直列通信インターフェース５０１ｉは、Ｉ２Ｃ形式のインターフェースである。第２直列通信インターフェース５０１ｉは、本実施形態の他のデジタル映像伝送装置との通信に使用されてもよい。
【０１１０】
ＨＤＭＩ付加信号処理部５０２は、ホスト装置１１，２１または３１（図１、図２、図３）から、ＨＤＭＩ送受信用ラインを介して入力されるＨＤＭＩ形式の付加信号Ｓｄｄｃ）を送信用ラインを介して、付加信号選択部５０５に入力する。
【０１１１】
また、ＨＤＭＩ付加信号処理部５０２は、付加信号選択部５０５から受信用ラインを介して入力されるＨＤＭＩ形式の付加信号を、前記ＨＤＭＩ送受信用ラインを介して、ホスト装置１１，２１または３１に入力する。
【０１１２】
ＤＶＩ付加信号処理部５０３は、ホスト装置１１，２１または３１からＤＶＩ（digital visual interface）送受信用ラインを介して入力されるＤＶＩ形式の付加信号Ｓｄｄｃを、送信用ラインを介して、付加信号選択部５０５に入力する。
【０１１３】
また、ＤＶＩ付加信号処理部５０３は、付加信号選択部５０５から受信用ラインを介して入力されるＤＶＩ形式の付加信号を、前記ＤＶＩ送受信用ラインを介して、ホスト装置１１，２１または３１に入力する。
【０１１４】
ＤＰ付加信号処理部５０３は、ホスト装置１１，２１または３１からＤＰ送受信用ラインを介して入力されるＤＰ形式の付加信号を、送信用ラインを介して、付加信号選択部５０５に入力する。
【０１１５】
また、ＤＰ付加信号処理部５０３は、付加信号選択部５０５から受信用ラインを介して入力されるＤＰ形式の付加信号を、前記ＤＰ送受信用ラインを介して、ホスト装置１１，２１または３１に入力する。
【０１１６】
付加信号選択部５０５は、ホスト側マイクロコンピュータ５０１からの選択命令信号Ｓｈｓｃによって、ＨＤＭＩ付加信号処理部５０２、ＤＶＩ付加信号処理部５０３及びＤＰ付加信号処理部５０４のうち選択されたいずれか１つの付加信号処理部からの付加信号を、マルチプレクサ／デマルチプレクサ５０６に入力する一方、マルチプレクサ／デマルチプレクサ５０６からの付加信号を、前記選択されたいずれか１つの付加信号処理部に入力する。
【０１１７】
マルチプレクサ／デマルチプレクサ５０６は、付加信号選択部５０５からの付加信号及びホスト側マイクロコンピュータ５０１からの外部通信用送信信号Ｓｈｃｍに対してマルチプレキシングを行って混合送信信号を発し、発せられた混合送信信号を並列−直列変換部５０７に入力する。
【０１１８】
また、マルチプレクサ／デマルチプレクサ５０６は、直列−並列変換部５０８からの混合受信信号から、付加信号及び外部通信用受信信号を抽出し、抽出された付加信号を付加信号選択部５０５に入力し、抽出された外部通信用受信信号Ｓｈｃｍをホスト側マイクロコンピュータ５０１に入力する。
【０１１９】
並列−直列変換部５０７は、マルチプレクサ／デマルチプレクサ５０６からの混合送信信号Ｓｄｄｒを直列信号に変換して受信部４２に伝送する。
【０１２０】
直列−並列変換部５０８は、受信部４２からの混合受信信号Ｓｄｄｌを並列信号に変換してマルチプレクサ／デマルチプレクサ５０６に入力する。
【０１２１】
図６は、図４の受信部４２のディスプレイ側付加通信制御部４２２の内部構成を示している。図６においた、図４及び図５と同一の参照符号は、同一機能の対象を示す。図４ないし図６を参照して、受信部４２のディスプレイ側付加通信制御部４２２の内部構成及び動作について説明すれば、次の通りである。
【０１２２】
受信部４２のディスプレイ側付加通信制御部４２２は、ディスプレイ側マイクロコンピュータ６０１、直列−並列変換部６０７、並列−直列変換部６０８、デマルチプレクサ（ＤＥＭＵＸ）／マルチプレクサ（ＭＵＸ）６０６、付加信号選択部６０５、ＨＤＭＩ付加信号処理部６０２、ＤＶＩ付加信号処理部６０３及びＤＰ付加信号処理部６０４を含む。
【０１２３】
ディスプレイ側マイクロコンピュータ６０１は、少なくとも第１直列通信インターフェース６０１ｕ及び第２直列通信インターフェース６０１ｉを具備し、第１直列通信インターフェース６０１ｕを介して、外部装置と通信を行うことにより、受信部４２の動作状態を診断して診断結果を外部装置に伝送し、受信部４２の動作を制御する。
【０１２４】
例えば、第１直列通信インターフェース６０１ｕは、ＵＳＢ形式のインターフェースであり、第２直列通信インターフェース６０１ｉは、Ｉ２Ｃ形式のインターフェースである。第２直列通信インターフェース６０１ｉは、本実施形態の他のデジタル映像伝送装置との通信に使用されてもよい。
【０１２５】
直列−並列変換部６０７は、ホスト側付加通信制御部４１２からの混合受信信号Ｓｄｄｒを並列信号に変換し、デマルチプレクサ／マルチプレクサ６０６に入力する。
【０１２６】
並列−直列変換部６０８は、デマルチプレクサ／マルチプレクサ６０６からの混合送信信号を直列信号Ｓｄｄｌに変換し、ホスト側付加通信制御部４１２に伝送する。
【０１２７】
デマルチプレクサ／マルチプレクサ６０６は、直列−並列変換部６０７からの混合受信信号Ｓｄｄｒから付加信号及び外部通信用受信信号Ｓｄｃｍを抽出し、抽出された付加信号を付加信号選択部６０５に入力し、抽出された外部通信用受信信号Ｓｄｃｍを、ディスプレイ側マイクロコンピュータ６０１に入力する。
【０１２８】
また、デマルチプレクサ／マルチプレクサ６０６は、付加信号選択部６０５からの付加信号、及びディスプレイ側マイクロコンピュータ６０１からの外部通信用送信信号に対してマルチプレキシングを行って混合送信信号Ｓｄｄｌを発し、発せられた混合送信信号Ｓｄｄｌを並列−直列変換部６０８に入力する。
【０１２９】
付加信号選択部６０５は、ディスプレイ側マイクロコンピュータ６０１からの選択命令信号Ｓｄｓｃによって、ＨＤＭＩ付加信号処理部６０２、ＤＶＩ付加信号処理部６０３及びＤＰ付加信号処理部６０４のうち選択されたいずれか１つの付加信号処理部からの付加信号をデマルチプレクサ／マルチプレクサ６０６に入力する一方、デマルチプレクサ／マルチプレクサ６０６からの付加信号を、前記選択されたいずれか１つの付加信号処理部に入力する。
【０１３０】
ＨＤＭＩ付加信号処理部６０２は、付加信号選択部６０５から受信用ラインを介して入力されるＨＤＭＩ形式の付加信号を、ＨＤＭＩ送受信用ラインを介して、ディスプレイ装置に入力する。
【０１３１】
また、ＨＤＭＩ付加信号処理部６０２は、ディスプレイ装置１２，２２または３２（図１、図２、図３）からＨＤＭＩ送受信用ラインを介して入力されるＨＤＭＩ形式の付加信号を、送信用ラインを介して、付加信号選択部６０５に入力する。
【０１３２】
ＤＶＩ付加信号処理部６０３は、付加信号選択部６０５から受信用ラインを介して入力されるＤＶＩ形式の付加信号を、ＤＶＩ送受信用ラインを介して、ディスプレイ装置１２，２２または３２に入力する。
【０１３３】
また、ＤＶＩ付加信号処理部６０３は、ディスプレイ装置１２，２２または３２から前記ＤＶＩ送受信用ラインを介して入力されるＤＶＩ形式の付加信号を、送信用ラインを介して、付加信号選択部６０５に入力する。
【０１３４】
ＤＰ付加信号処理部６０４は、付加信号選択部６０５から受信用ラインを介して入力されるＤＰ形式の付加信号を、ＤＰ送受信用ラインを介して、ディスプレイ装置１２，２２または３２に入力する。
【０１３５】
また、ＤＰ付加信号処理部６０４は、ディスプレイ装置１２，２２または３２から前記ＤＰ送受信用ラインを介して入力されるＤＰ形式の付加信号を、送信用ラインを介して、付加信号選択部６０５に入力する。
【０１３６】
図７は、本発明の一実施形態のデジタル映像伝送装置７３が応用される第１例を示している。
【０１３７】
図７を参照すれば、本発明の一実施形態のデジタル映像伝送装置７３は、ホスト装置７１に接続される送信部４１、ディスプレイ装置７２に接続される受信部４２、及び送信部４１と受信部４２とを連結する光ケーブル４３を含む。前述のように、光ケーブル４３の代わりに、電気ケーブルまたは無線通信が適用されてもよい。
【０１３８】
送信部４１のホスト側付加通信制御部４１２（図４及び図５）は、ユーザのコンピュータ７４１と通信を行うことにより、送信部４１の動作状態を診断して診断結果を外部装置に伝送し、送信部４１の動作を制御する。図７において参照符号Ｓｈｅｃ１は、ホスト側付加通信制御部４１２と、ユーザのコンピュータ７４１との間で送受信される直列通信信号、例えば、ＵＳＢ形式の通信信号を示す。
【０１３９】
従って、ユーザのコンピュータ７４１は、送信部４１のホスト側付加通信制御部４１２と通信することができる。さらに、ユーザの通信端末機７４３は、ＩＳＤＮ（integrated service digital network）を介して、ユーザのコンピュータ７４１と通信することができる。
【０１４０】
それによって、ユーザは、自体のコンピュータ７４１または通信端末機７４３によって、送信部４１の動作状態を診断し、送信部４１の動作を制御することができる。
【０１４１】
一方、受信部４２のディスプレイ側付加通信制御部４２２（図４及び図６）は、ユーザのコンピュータ７５１と通信を行うことにより、受信部４２の動作状態を診断して診断結果を外部装置に伝送し、受信部４２の動作を制御する。図７において参照符号Ｓｄｅｃ１は、ディスプレイ側付加通信制御部４２２と、ユーザのコンピュータ７５１との間で送受信される直列通信信号、例えば、ＵＳＢ形式の通信信号を示す。
【０１４２】
従って、ユーザのコンピュータ７５１は、受信部４２のディスプレイ側付加通信制御部４２２と通信することができる。さらに、ユーザの通信端末機７５２は、ＩＳＤＮを介して、ユーザのコンピュータ７５１と通信することができる。
【０１４３】
それによって、ユーザは、自体のコンピュータ７５１または通信端末機７５３によって受信部４２の動作状態を診断し、受信部４２の動作を制御することができる。
【０１４４】
さらに、送信部４１のホスト側付加通信制御部４１２は、光ケーブル４３を介して受信部４２のディスプレイ側付加通信制御部４２２と相互通信を行いながら、受信部４２の診断結果を提供され、受信部４２の動作を制御する。
【０１４５】
それによって、ホスト装置７１の位置にいるユーザは、送信部４１のホスト側付加通信制御部４１２を介して、遠隔地の受信部４２の診断結果を提供され、受信部４２の動作を制御することもできる。
【０１４６】
それと反対に、受信部４２のディスプレイ側付加通信制御部４２２は、光ケーブル４３を介して、ホスト側付加通信制御部４１２と相互通信を行いながら、送信部４１の診断結果を提供され、送信部４１の動作を制御する。
【０１４７】
それによって、ディスプレイ装置７２の位置にいるユーザは、受信部４２のディスプレイ側付加通信制御部４２２を介して、遠隔地の送信部４１の診断結果を提供され、送信部４１の動作を制御することもできる。
【０１４８】
図８は、図７のユーザコンピュータ７４１，７５１またはユーザ通信端末機７４３，７５３におけるＧＵＩ（graphic user interface）の画面８１０の例を示している。
【０１４９】
図７及び図８を参照すれば、ユーザコンピュータ７４１，７５１またはユーザ通信端末機７４３，７５３は、データ送信状態をユーザに知らせる送受信状態など８１１を表示することができる。送受信状態など８１１は、色相別に互いに異なる伝送率を示す。
【０１５０】
また、ユーザが、メニュー選択キー８１３を使用して、動作状態リスト８１４ないし８１９のうちいずれか１つの動作状態アイコンを選択すれば、選択されたアイコンの動作状態がディスプレイ窓８１２にディスプレイされる。
【０１５１】
また、ユーザは、オン（On）キー８２１とオフ（Off）キー８２２とを使用して、送信動作または受信動作を中断したり再び開始したりすることができる。
【０１５２】
また、ユーザが機能キー８２３を押せば、機能リストがディスプレイ窓８１２にディスプレイされる。
【０１５３】
また、ユーザが自動制御キー８２４を押せば、設定されたプログラムによって、自動制御が遂行される。
【０１５４】
図９は、本発明の一実施形態のデジタル映像伝送装置（９０１ないし９４０）が応用される第２例を示している。
【０１５５】
図９を参照すれば、ホスト側デジタル映像伝送装置９０１ないし９２０は、ホスト装置Ｈ１ないしＨ２０と、マトリックス装置９１の入力端子との間に連結される。周知されているように、マトリックス装置９１は、入力映像信号を、ユーザ設定によって選択的にスイッチングして出力させる装置である。すなわち、ホスト側デジタル映像伝送装置９０１ないし９２０の送信部は、ホスト装置Ｈ１ないしＨ２０に接続され、受信部は、マトリックス装置９１の入力端子に接続される。
【０１５６】
ディスプレイ側デジタル映像伝送装置９２１ないし９４０は、マトリックス装置９１の出力端子と、ディスプレイ装置Ｄ１ないしＤ２０との間に連結される。すなわち、ディスプレイ側デジタル映像伝送装置９２１ないし９４０の送信部は、マトリックス装置９１の出力端子に接続され、受信部は、ディスプレイ装置Ｄ１ないしＤ２０に接続される。
【０１５７】
前述のようなマトリックス伝送システムにおいて、マトリックス装置９１の制御部９１ｃは、全てのデジタル映像伝送装置９０１ないし９４０と通信することができる。従って、ユーザは、マトリックス装置９１のＧＵＩの画面上で、全てのデジタル映像伝送装置９０１ないし９４０の診断結果を提供され、全てのデジタル映像伝送装置９０１ないし９４０の動作を制御することもできる。
【０１５８】
図１０は、本発明の一実施形態のデジタル映像伝送装置が応用される第３例を示している。図１０を参照すれば、第１マトリックス伝送システムと、第２マトリックス伝送システムとが通信網、例えば、ＩＳＤＮ １０２と連結されている。すなわち、第１マトリックス装置１０１の制御部１０１ｃは、ＩＳＤＮ １０２を介して、第２マトリックス装置１０３の制御部１０３ｃと通信することができる。
【０１５９】
さらに詳細には、第１マトリックス伝送システムにおいて、ホスト側デジタル映像伝送装置１００１ないし１０２０は、ホスト装置Ｈ１ないしＨ２０と、第１マトリックス装置１０１の入力端子との間に連結される。すなわち、ホスト側デジタル映像伝送装置１００１ないし１０２０の送信部は、ホスト装置Ｈ１ないしＨ２０に接続され、受信部は、第１マトリックス装置１０１の入力端子に接続される。
【０１６０】
ディスプレイ側デジタル映像伝送装置１０２１ないし１０４０は、第１マトリックス装置１０１の出力端子と、ディスプレイ装置Ｄ１ないしＤ２０との間に連結される。すなわち、ディスプレイ側デジタル映像伝送装置１０２１ないし１０４０の送信部は、第１マトリックス装置１０１の出力端子に接続され、受信部は、ディスプレイ装置Ｄ１ないしＤ２０に接続される。
【０１６１】
前述のような第１マトリックス伝送システムにおいて、第１マトリックス装置１０１の制御部９１ｃは、全てのデジタル映像伝送装置９０１ないし９４０と通信することができる。従って、ユーザは、第１マトリックス装置１０１のＧＵＩの画面上で、デジタル映像伝送装置１００１ないし１０４０の診断結果を提供され、デジタル映像伝送装置１００１ないし１０４０の動作を制御することもできる。
【０１６２】
それと同様に、第２マトリックス伝送システムにおいて、ホスト側デジタル映像伝送装置１０４１ないし１０６０は、ホスト装置Ｈ２１ないしＨ４０と、第２マトリックス装置１０３の入力端子との間に連結される。すなわち、ホスト側デジタル映像伝送装置１０４１ないし１０６０の送信部は、ホスト装置Ｈ２１ないしＨ４０に接続され、受信部は、第２マトリックス装置１０３の入力端子に接続される。
【０１６３】
ディスプレイ側デジタル映像伝送装置１０６１ないし１０８０は、第２マトリックス装置１０３の出力端子と、ディスプレイ装置Ｄ２１ないしＤ４０との間に連結される。すなわち、ディスプレイ側デジタル映像伝送装置１０６１ないし１０８０の送信部は、第２マトリックス装置１０３の出力端子に接続され、受信部は、ディスプレイ装置Ｄ２１ないしＤ４０に接続される。
【０１６４】
前述のような第２マトリックス伝送システムにおいて、第２マトリックス装置１０３の制御部１０３ｃは、デジタル映像伝送装置１０４１ないし１０８０と通信することができる。従って、ユーザは、第２マトリックス装置１０３のＧＵＩの画面上で、デジタル映像伝送装置１０４１ないし１０８０の診断結果を提供され、デジタル映像伝送装置１０４１ないし１０８０の動作を制御することもできる。
【０１６５】
ここでさらに、第１マトリックス装置１０１の制御部１０１ｃは、ＩＳＤＮ １０２を介して、第２マトリックス装置１０３の制御部１０３ｃと通信することができる。
【０１６６】
従って、ユーザは、第１マトリックス装置１０１のＧＵＩの画面上で、第２マトリックス伝送システムのデジタル映像伝送装置１０４１ないし１０８０の診断結果を提供され、デジタル映像伝送装置１０４１ないし１０８０の動作を制御することもできる。
【０１６７】
それと同様に、ユーザは、第２マトリックス装置１０３のＧＵＩの画面上で、第１マトリックス伝送システムのデジタル映像伝送装置１００１ないし１０４０の診断結果を提供され、デジタル映像伝送装置１００１ないし１０４０の動作を制御することもできる。
【０１６８】
ＩＳＤＮ １０２に、別途の統制用コンピュータが接続された場合、ユーザは、統制用コンピュータのＧＵＩの画面上で、第１マトリックスシステム及び第２マトリックスシステムの全てのデジタル映像伝送装置１００１ないし１０８０の診断結果を提供され、デジタル映像伝送装置１００１ないし１０８０の動作を制御することもできるということは言うまでもない。
【０１６９】
以上で説明した通り、本発明による実施形態によれば、送信部のホスト側付加通信制御部は、外部装置と通信を行うことにより、送信部の動作状態を診断して診断結果を外部装置に伝送し、送信部の動作を制御する。
【０１７０】
従って、ユーザのコンピュータまたは端末機は、ホスト側付加通信制御部と通信することができる。それによって、ユーザは、送信部の動作状態を診断し、送信部の動作を制御することができる。送信部の動作を制御する単純な例として、必要によって、デジタル映像データの伝送を中断したり再び開始したりすることができる。
【０１７１】
さらに、受信部のディスプレイ側付加通信制御部は、外部装置と通信を行うことにより、受信部の動作状態を診断して診断結果を外部装置に伝送し、受信部の動作を制御する。
【０１７２】
従って、ユーザのコンピュータまたは端末機は、ディスプレイ側付加通信制御部と通信することができる。それによって、ユーザは、受信部の動作状態を診断し、受信部の動作を制御することができる。受信部の動作を制御する単純な例として、必要によって、デジタル映像データの受信を中断したり再開したりすることができる。
【０１７３】
さらに、光ケーブルが送信部と受信部との間に連結された場合、ホスト側付加通信制御部は、光ケーブルを介して、ディスプレイ側付加通信制御部と相互通信を行いながら、受信部の診断結果を提供され、受信部の動作を制御する。
【０１７４】
それによって、ホスト装置の位置にいるユーザは、ホスト側付加通信制御部を介して、遠隔地の受信部の診断結果を提供され、受信部の動作を制御することもできる。
【０１７５】
さらに、ディスプレイ側付加通信制御部は、光ケーブルを介して、ホスト側付加通信制御部と相互通信を行いながら、送信部の診断結果を提供され、送信部の動作を制御する。
【０１７６】
それによって、ディスプレイ装置の位置にいるユーザは、ディスプレイ側付加通信制御部を介して、遠隔地の送信部の診断結果を提供され、送信部の動作を制御することもできる。
【０１７７】
以上、本発明について望ましい実施形態を中心に説明した。本発明が属する技術分野で当業者であるならば、本発明の本質的な特性から外れない範囲で変形された形態に本発明を具現することができるということを理解するであろう。
【０１７８】
従って、前述の実施形態は、限定的な観点ではなく、説明的な観点から考慮されなければならない。本発明の範囲は、前述の説明ではなく、特許請求の範囲に示されており、特許請求の範囲によって請求された発明、及び請求された発明と均等な発明は、本発明に含まれたものであると解釈されなければならない。
【産業上の利用可能性】
【０１７９】
デジタル映像以外のデジタルデータの伝送にも利用される可能性がある。
【図１】
2016521502.tif 000003
【図２】
2016521502.tif 000004
【図３】
2016521502.tif 000005
【図４】
2016521502.tif 000006
【図５】
2016521502.tif 000007
【図６】
2016521502.tif 000008
【図７】
2016521502.tif 000009
【図８】
2016521502.tif 000010
【図９】
2016521502.tif 000011
【図１０】
2016521502.tif 000012
【国際調査報告】
2016521502.tif 000013
2016521502.tif 000014
2016521502.tif 000015
2016521502.tif 000016